(57)【要約】【課題】包装対象の出し入れが容易で、かつ耐久性が高い蓋付の包装袋を提供する。【解決手段】正面シート２１の左右両側に、当該正面シート２１の末端から延びる切込み４３，４４を設けたので、開口部４１を、当該包装袋１の左右方向の寸法に略等しい開口幅で開口させることが可能であり、包装対象の出し入れが容易である。また、開口部４１を開口させたときに、当該開口部４１の左右両側に無理な力が作用することがないので、耐久性を向上させることができる。【選択図】図５
2019172341.tif 000002
【特許請求の範囲】
【請求項１】
正面シートと蓋シートとの間に開口部が形成される包装袋であって、
前記正面シートと背面シートとは、下側の端部および左右両側の端部で接合され、
前記蓋シートと前記背面シートとは、上側の端部および左右両側の端部で接合され、
前記蓋シートの下側の縁部は、前記正面シートの上側の縁部に重ねて設けられ、
前記正面シートと前記蓋シートとは、重ね合わされた部分が、左右両側の端部で接合され、
前記正面シートには、該正面シートの上側の末端から、前記正面シートと前記蓋シートとの接合部に沿うようにして延びる切込みが設けられる、
ことを特徴とする包装袋。
【請求項２】
前記切込みは、前記正面シートの左右両側に設けられる、
ことを特徴とする請求項１記載の包装袋。
【請求項３】
前記正面シート、前記背面シート、および前記背面シートは、樹脂製フィルム、あるいは不織布からなる、
ことを特徴とする請求項１または２記載の包装袋。
【発明の詳細な説明】
【技術分野】
【０００１】
本発明は、衣服等の包装に使用される包装袋に関する。
【背景技術】
【０００２】
例えば、特許文献１には、衣服等の繊維製品の黄変を防止するようにした包装袋が開示されている。この包装袋は、袋体の開口部を折り目を付けて折り返し、折り返し部分を粘着テープや粘着シールで留めるようにしている。
【０００３】
ところで、衣服等を包む包装袋においては、開口部が正面に向けられた蓋付の包装袋が知られている。概して、蓋付の包装袋は、長方形の背面シートと、下側の端部および左右両側の端部が背面シートに接合（接着）される正面シートと、上側の端部および左右両側の端部が背面シートに接合される蓋シートと、からなる。このような包装袋は、蓋シートの下側の縁部を正面シートの上側の縁部の前面に重ねることにより、衣服等の包装対象を汚れや塵埃から守るようにしている。
【先行技術文献】
【特許文献】
【０００４】
【特許文献１】特開平４−２１４７１７号公報
【発明の概要】
【発明が解決しようとする課題】
【０００５】
前述した蓋付の包装袋は、正面シートと蓋シートとを重ね合わせた部分が、左右両側の端部で接合（接着）されている。よって、図８に示されるように、包装袋の開口部４１の開口幅（左右方向の開口長さ）は、開口部４１の左右両側で、正面シート２１と蓋シート３１とが重ね合わされた分（図８におけるＬ）だけ短くなり、開口部４１を通した包装対象の出し入れがし難くなる。また、開口部４１を拡げたとき、当該開口部４１の左右両側の端部に無理な力が加わり、正面シート２１の左右両側の、蓋シート３１の角部３９近傍に応力が集中し易くなり、正面シート２１に裂け２９が生じるおそれがある。
【０００６】
そこで本発明は、包装対象の出し入れが容易で、かつ耐久性が高い蓋付の包装袋を提供することを課題とする。
【課題を解決するための手段】
【０００７】
上記課題を解決するため、本発明は、正面シートと蓋シートとの間に開口部が形成される包装袋であって、前記正面シートと背面シートとは、下側の端部および左右両側の端部で接合され、前記蓋シートと前記背面シートとは、上側の端部および左右両側の端部で接合され、前記蓋シートの下側の縁部は、前記正面シートの上側の縁部に重ねて設けられ、前記正面シートと前記蓋シートとは、重ね合わされた部分が、左右両側の端部で接合され、前記正面シートには、該正面シートの上側の末端から、前記正面シートと前記蓋シートとの接合部に沿うようにして延びる切込みが設けられる、ことを特徴とする。
【発明の効果】
【０００８】
本発明によれば、包装対象の出し入れが容易で、かつ耐久性が高い蓋付の包装袋を提供することができる。
【図面の簡単な説明】
【０００９】
【図１】本実施形態に係る包装袋の正面図である。
【図２】図１におけるＡ−Ａ断面による分解図である。
【図３】図１におけるＢ部の詳細図で、蓋シートの一部を切り欠いて示す図である。
【図４】本実施形態に係る包装袋の正面図であって、正面シートのフラップ部が蓋シートの前面に重ねられた状態を示す図である。
【図５】本実施形態に係る包装袋の正面図であって、図４の状態の包装袋の開口部を開いた状態を示す図である。
【図６】本実施形態の説明図であって、開口部を拡げたときの、当該開口部の左側部分の拡大図である。
【図７】本実施形態に係る包装袋の正面図であって、図５の状態の包装袋の開口部を通して包装対象を出し入れさせる状態を示す図である。
【図８】従来の包装袋の説明図である。
【発明を実施するための形態】
【００１０】
本発明の一実施形態を添付した図を参照して説明する。
図１は、本実施形態に係る包装袋１の正面図である。また、図２は、図１におけるＡ−Ａ断面の分解図である。便宜上、図１における上下方向を包装袋１における上下方向、図１における左右方向を包装袋１における左右方向と称する。また、図２における左側および右側を包装袋１における後側および前側と称する。
【００１１】
図１、図２を参照すると、包装袋１は、透明な樹脂フィルムからなる背面シート２を備える。背面シート２は、長方形のシート部３と、該シート部３の下側の辺縁４（末端）に設けられるマチ部５と、シート部３の上側の辺縁６に設けられるマチ部７と、からなる。下側のマチ部５は、後側部８と前側部９とが上側に凸となるように折り畳まれている。他方、上側のマチ部７は、後側部１０と前側部１１とが下側に凸となるように折り畳まれている。なお、背面シート２を構成する樹脂フィルムは、例えば、ポリオレフィン系樹脂が用いられる。
【００１２】
包装袋１は、ポリプロピレン（ＰＰ）樹脂製の不織布（ウェブ）からなる正面シート２１を備える。正面シート２１は、背面シート２に対して上下方向の寸法が短い長方形に形成され、上側の端部が一定幅で内側（後側）に折り返されている。正面シート２１は、下側の端部が、その辺縁２２に沿うようにして、背面シート２のマチ部５の前側部９にヒートシールにて間欠的に接着されている。また、正面シート２１は、左右両側の辺縁２３，２４が、背面シート２の左右両側の辺縁１３，１４にヒートシールにて連続的に接着されている。これにより、背面シート２と正面シート２１とによる袋体が形成される。
【００１３】
なお、正面シート２１の左右両側の辺縁２３，２４の下部は、背面シート２のシート部３とマチ部５（後側部８および前側部８）とに重ねられた状態で、ヒートシールにて連続的に接着される。また、正面シート２１は、上側の折り返された部分（重ね合わされた部分）が、左右方向にヒートシールにて間欠的に接着されている。
【００１４】
包装袋１は、正面シート２１との間に当該包装袋１の開口部４１が形成される蓋シート３１を備える。蓋シート３１は、正面シート２１と同一材料、すなわち、ポリプロピレン（ＰＰ）樹脂製の不織布（ウェブ）からなる。蓋シート３１は、左右方向に長い長方形に形成され、下側の端部が一定幅で内側（後側）に折り返されている。蓋シート３１は、上側の端部が、その辺縁３２に沿うようにして、背面シート２のマチ部７の前側部１１にヒートシールにて間欠的に接着されている。また、蓋シート３１は、左右両側の辺縁３３，３４が、背面シート２の左右両側の辺縁１３，１４にヒートシールにて連続的に接着されている。
【００１５】
ここで、蓋シート３１の左右方向の寸法は、背面シート２および正面シート２１の左右方向の寸法と同一である。そして、蓋シート３１の下側の縁部は、正面シート２１の上側の縁部に一定幅で重ねられている。よって、蓋シート３１と正面シート２１とを重ね合わせた部分の左右両側は、背面シート２（シート部３）の左右両側の辺縁１３，１４に重ねられた状態で、ヒートシールにて連続的に接着される。
【００１６】
なお、蓋シート３１の左右両側の辺縁３３，３４の上部は、背面シート２のシート部３とマチ部７（後側部１０および前側部１１）とに重ねられた状態で、ヒートシールにて連続的に接着される。また、蓋シート３１は、下側の折り返された部分（重ね合わされた部分）が、左右方向にヒートシールにて間欠的に接着されている。さらに、正面シート２１と蓋シート３１との重ね合わされた部分の双方には、左右に間隔をあけて設けられた一対の留め具２８，３８が取り付けられている。なお、正面シート２１側の留め具２８は、後述するフラップ部４７に取り付けられる。
【００１７】
ところで、図８を参照すると、従来の包装袋においては、正面シート２１と蓋シート３１とが重ね合わされた部分の、左右両側の端部が、ヒートシールにて背面シート２に接合（接着）されていた。よって、包装袋の開口部４１の左右方向の開口幅が、当該開口部４１の左右両側で、正面シート２１と蓋シート３１とが重ね合わされた分（図８におけるＬ）だけ短くなり、開口部４１を通した包装対象の出し入れがし難くなっていた。また、開口部４１を拡げたとき、当該開口部４１の左右両側の端部に無理な力が加わり、正面シート２１の左右両側の、蓋シート３１の角部３９近傍に、応力が集中し易くなることで、特に薄い不織布を用いた場合、正面シート２１に裂け２９が生じるおそれがあった。
【００１８】
そこで、本実施形態に係る包装袋１は、図１、図３に示されるように、正面シート２１の左右両側に切込み４３，４４（図３に左側の切込み４３を表示）が形成されている。ここで、切込み４３，４４は、正面シート２１に左右対称に形成されているので、左側の切込み４３のみを説明する。切込み４３は、正面シート２１の上側の辺縁２５（末端）から、接合部４５（図３参照）に沿うようにして、下方向へ延びている。切込み４３は、蓋シート３１によって被われ、正面から見えない程度の長さ（上下方向長さ）に形成されている。換言すると、切込み４３は、下端が、蓋シート３１の下側の辺縁３５の直前の位置まで延びている。なお、接合部４５は、正面シート２１と蓋シート３１との熱溶着部、延いては背面シート２、正面シート２１、および蓋シート３１の熱溶着部である。
【００１９】
そして、当該包装袋１によって衣類等の包装対象５０（図７参照）を包装する場合、まず、正面シート２１を前側に向けて、包装袋１をテーブル上（図示省略）に広げる。次に、図４に示されるように、正面シート２１の切込み４３と切込み４４との間の部分（以下「フラップ部４７」）を、蓋シート３１の前側に出して露出させる。換言すると、正面シート２１のフラップ部４７の後側に、蓋シート３１の下側の縁部を潜り込ませる。なお、予め、留め具２８，３８間の繋止状態を解除しておく。
【００２０】
この状態、すなわち、正面シート２１のフラップ部４７を蓋シート３１の前面に重ねた状態で、図５に示されるように、正面シート２１のフラップ部４７を持ち上げるようにして、当該包装袋１の開口部４１を開口させる。ここで、開口部４１の左右方向の開口幅は、フラップ部４７の左右方向の長さ、換言すると、正面シート２１の切込み４３，４４間の間隔に略等しい。すなわち、図６に示されるように、開口部４１を、当該包装袋１の左右方向の寸法近くまで開口させることができる。次に、図７に示されるように、開口部４１を通して、包装対象５０を当該包装袋１内に挿入する。そして、正面シート２１のフラップ部４７を、蓋シート３１の後側に収容した後、正面シート２１側の留め具２８と蓋シート３１側の留め具３８とを繋止させる。
【００２１】
本実施形態に係る包装袋１は、以下のような作用効果を奏する。
本実施形態によれば、正面シート２１と蓋シート３１との間に開口部４１が形成される包装袋１であって、正面シート２１と背面シート２とは、下側の端部および左右両側の端部で接合（接着）され、蓋シート３１と背面シート２とは、上側の端部および左右両側の端部で接合され、蓋シート３１の下側の縁部は、正面シート２１の上側の縁部に重ねて設けられ、正面シート２１と蓋シート３１とは、重ね合わされた部分が、左右両側の端部で接合され、正面シート２１には、該正面シート２１の上側の末端から、正面シート２１と蓋シート３１との接合部４５に沿うようにして延びる切込み４３，４４が設けられる。
【００２２】
本実施形態では、蓋シート３１の下側の縁部を、正面シート２１の上側の縁部に重ねて、蓋シート３１によって開口部４１を被うようにしたので、当該包装袋１内の包装対象５０を汚れや塵埃から保護することができる。
【００２３】
本実施形態では、正面シート２１の上側の縁部が、該正面シート２１の左右両側に設けた切込み４３，４４によって、正面シート２１と蓋シート３１との接合部４５から切り離されている。これにより、開口部４１を開口させたときに、正面シート２１の左右両側の上部が、接合部４５に引張られることがないので、開口部４１を、当該包装袋１の左右方向の寸法に略等しい開口幅（左右の開口長さ）まで開口させることが可能であり、開口部４１を通した包装対象５０の出し入れが容易である。また、従来の包装袋のように、開口部４１を開口させたときに、当該開口部４１の左右両側に無理な力が作用する（応力集中する）ことがないので、耐久性を向上させることが可能であり、繰り返し使用することができる。
【００２４】
本実施形態では、正面側の正面シート２１および蓋シート３１が不織布からなるので、正面側が透明な樹脂製フィルムからなる包装袋と比較して、高級な雰囲気を醸し出すことが可能であり、ブティック等で内包装に用いるのに好適である。また、樹脂フィルムからなる背面シート２を用いたことで、包装対象５０を出し入れするときの抵抗（摩擦）が小さいので、包装対象５０の出し入れが容易である。さらに、正面シート２１の切込み４３，４４間に形成されたフラップ部４７と蓋シート３１とに留め具２８，３８を取り付けたので、包装対象５０の包装後、フラップ部４７が不意に捲くれることがなく、包装対象５０を汚れや塵埃から確実に保護することができる。
【００２５】
なお、実施形態は、前述した実施形態に限定されるものではなく、例えば、次のように構成することができる。
前述した実施形態では、正面シート２１の左右両側に、当該正面シート２１の上側の末端から延びる切込み４３，４４を設けたが、当該切込み４３，４４をミシン目としてもよい。この場合、必要に応じて、ミシン目を引き裂いて切込み４３，４４とする。
前述した実施形態では、背面シート２の材料に樹脂製フィルムを用い、また正面シート２１および蓋シート３１の材料に不織布を用いたが、背面シート２、正面シート２１、および蓋シート３１の材料は、各々、樹脂製フィルム、不織布等から適宜選択することができる。
前述した実施形態では、正面シート２１のフラップ部４７と蓋シート３１の上側の縁部とを留め具２８，３８によって繋止させるようにしたが、当該留め具２８，３８は必須の要素ではない。
前述した実施形態では、背面シート２の上下方向両側にマチ部５，７を設けたが、当該マチ部５，７は必須ではない。
【符号の説明】
【００２６】
１  包装袋、２  背面シート、２１  正面シート、２５  辺縁（末端）、３１  蓋シート、４１  開口部、４３，４４  切込み
【図１】
2019172341.tif 000003
【図２】
2019172341.tif 000004
【図３】
2019172341.tif 000005
【図４】
2019172341.tif 000006
【図５】
2019172341.tif 000007
【図６】
2019172341.tif 000008
【図７】
2019172341.tif 000009
【図８】
2019172341.tif 000010